(57)【要約】【課題】ロール紙のカール癖の発生を防止しながら、発券装置の小型化を図る手段を提供する。【解決手段】軸方向に並列に配置されたロール紙２ａ、２ｂを収納するロール紙収納部４を備え、ロール紙２を規定の長さに切断した単券に、所定の視認情報を印字して発行する発券装置１において、一のロール紙２ａのロール紙収納部４からの繰出を終えたときに、並列に配置された他のロール紙２ｂを軸方向に移動させてロール紙２を補充する。【選択図】        図２
2011221715.tif 000002
【特許請求の範囲】
【請求項１】
軸方向に並列に配置されたロール紙を収納するロール紙収納部を備え、前記ロール紙を規定の長さに切断した単券に、所定の視認情報を印字して発行する発券装置において、
一の前記ロール紙の前記ロール紙収納部からの繰出を終えたときに、前記並列に配置された他のロール紙を軸方向に移動させてロール紙を補充することを特徴とする発券装置。
【請求項２】
請求項１において、
前記ロール紙収納部に収納されたロール紙の先頭端を分離して繰出す、１つの分離繰出機構と、前記分離繰出機構から繰出されたロール紙を搬送する、１つのロール紙搬送路とを設け、
前記一のロール紙の前記ロール紙収納部からの繰出を終えたときに、前記他のロール紙を軸方向に移動させて、前記分離繰出機構上に停止させることを特徴とする発券装置。
【請求項３】
請求項２において、
前記分離繰出機構に、前記ロール紙の外周面を支持する支持ローラを設け、
前記支持ローラのロール紙の移動方向の上流側に、前記支持ローラに向かって拡大するテーパ面を有するガイド部を設けたことを特徴とする発券装置。
【請求項４】
請求項２または請求項３において、
前記他のロール紙を軸方向に移動させるときに、前記分離繰出機構を前記ロール紙の外周面から退避させることを特徴とする発券装置。
【請求項５】
請求項１ないし請求項４のいずれか一項において、
前記他のロール紙を軸方向に移動させるときに、前記ロール紙収納部を軸方向に移動させて前記他のロール紙を移動させることを特徴とする発券装置。
【請求項６】
請求項２において、
前記ロール紙収納部の底面に、前記他のロール紙の装填側の底面からなる上段部と前記分離繰出機構側の底面を前記上段部より低くした下段部とからなる段差を設けると共に、前記ロール紙収納部に、前記上段部上に装填された他のロール紙を前記段差を越えて軸方向に移動させるロール紙移動板を設けたことを特徴とする発券装置。
【請求項７】
請求項６において、
前記下段部に、前記分離繰出機構からロール紙の移動方向に延在させた延在部を設けると共に、前記延在部上の繰出を終えた前記一のロール紙の巻芯を検出する巻芯検出センサを設け、
前記巻芯検出センサが、前記延在部上の前記巻芯を検出したときに、不足した補充用のロール紙の補給依頼を報知し、前記他のロール紙による単券の発行中に、補充用の新たなロール紙の装填を行うことを特徴とする発券装置。
【請求項８】
請求項７において、
前記補充用の新たなロール紙の補給をするときに、前記ロール紙移動板を原位置へ戻すことを特徴とする発券装置。
【請求項９】
請求項１ないし請求項８のいずれか一項において、
前記ロール紙搬送路の、ロール紙の正搬送方向の最下流部に、前記ロール紙の先頭部分を規定の長さに切断するカッタ部を設けると共に、前記ロール紙搬送路の前記分離繰出機構と前記カッタ部との間に、前記ロール紙搬送路を搬送されるロール紙を検出する搬送監視センサを設け、
前記搬送監視センサが、前記一のロール紙の後尾端を検出したときに、前記一のロール紙の前記ロール紙収納部からの繰出を終えたと判定することを特徴とする発券装置。
【請求項１０】
請求項９において、
前記搬送監視センサが、前記他のロール紙の後尾端を検出したときに、前記ロール紙収納部の用紙切れを報知し、前記他のロール紙による単券の発行中に、新たな複数のロール紙の装填を行うことを特徴とする発券装置。
【発明の詳細な説明】
【技術分野】
【０００１】
本発明は、複数のロール紙を軸方向に並列に収納し、乗車券等の単券を発行する発券装置に関する。
【背景技術】
【０００２】
鉄道で用いられる券売機においては、利用者が選択した区間の乗車券を発行する場合、裏面に磁気コーティングが施されたロール紙を乗車券の長さに切断し、切断した単券のおもて面に乗車区間等の視認情報を印字し、裏面に乗車区間等の磁気情報を書込んで自動で発行している。
【０００３】
このような券売機は、通常、無人で稼動しているため、ロール紙の補充頻度が高いと保守員等の係員の負担が増大することから、ロール紙は太巻きにされ、例えば乗車券用のロール紙は、外径φ３００ｍｍ、巻芯径φ１２０ｍｍ、幅５７．５ｍｍ、重さ約３ｋｇのものが標準的に用いられている。
【０００４】
また、乗降客の多い駅舎等においては、ロール紙の補充頻度を更に軽減するために、複数のロール紙を装填することができる発券装置を搭載した券売機が用いられている。
【０００５】
このような複数のロール紙を装填した従来の発券装置は、裏面に磁気コーティングが施された２巻のロール紙を、その半径方向に並列に配置し、それぞれのロール紙収納部からの搬送路を、搬送されるロール紙の紙面の直交方向に２段に積層して、単券に切断するカッタ部の手前で合流させ、運用中の補充の手間を軽減している（例えば、特許文献１参照。）。
【０００６】
また、２巻のロール紙を、その軸方向に並列に配置し、それぞれのロール紙収納部からの搬送路を、搬送されるロール紙の幅方向に並設し、補充用のロール紙の搬送路の単券に切断するカッタ部の手前に、Ｓ字状搬送路を内蔵した経路変換部を設け、補充用のロール紙の先頭端をＳ字状にかつ幅方向に移動させて他方のロール紙の搬送路に合流させ、他方のロール紙の用紙切れが発生した後は、補充用のロール紙を用いて自動的に発券を継続させているものもある（例えば、特許文献２参照。）。
【先行技術文献】
【特許文献】
【０００７】
【特許文献１】特開２００７−２６１５３号公報（段落００１２−００１６、第１図）
【特許文献２】特開２００７−３４４０８号公報（段落００１０−００１８、第１図、第３図）
【発明の概要】
【発明が解決しようとする課題】
【０００８】
一般に、乗降客の多い鉄道の駅舎等においては、利用者サービス向上の観点から券売機が複数設置されるため、釣銭機等も搭載される券売機に用いる発券装置は、できるだけ小型であることが望ましい。
【０００９】
しかしながら、上述した特許文献１の技術においては、２巻のロール紙を半径方向に並列に配置し、それぞれのロール紙収納部からの搬送路を、搬送されるロール紙の紙面の直交方向に２段に積層しているため、比較的直径の大きいロール紙を半径方向に並列に配置するための高さ方向および／もしくは奥行方向のスペースや、ロール紙収納部からの搬送路を２段に積層するためのスペースを確保しなければならず、発券装置が大型化し、これが制約となって券売機等の小型化を図ることが困難になるという問題がある。
【００１０】
また、特許文献２の技術においては、２巻のロール紙を軸方向に並列に配置しているため、ロール紙を収納するための高さ方向や奥行方向のスペースは１巻分のスペースとなり、ロール紙の幅は外径に比して小さいために幅方向のスペースの増分は最小限に抑えられるので、発券装置の小型化のためには有効であるが、それぞれのロール紙収納部からの搬送路を搬送されるロール紙の幅方向に並設し、一方の搬送路にＳ字状搬送路を内蔵した経路変換部を設けてカッタ部の手前で他方の搬送路に合流させているため、Ｓ字状搬送路を内蔵した経路変換部を設けるスペースを必要とし、発券装置の小型化を図ることが困難になるという問題がある。
【００１１】
更に、特許文献２の技術においては、一方の搬送路にＳ字状搬送路を内蔵した経路変換部を設けて、補充用のロール紙の先頭端をＳ字状にかつ幅方向に移動させているため、ロール紙がＳ字状搬送路に一定時間停滞した場合には、ロール紙にＳ字状搬送路の曲率半径に沿った巻癖や、幅方向の移動に伴う捩れ癖等のカール癖が付き、切断後の単券の搬送においてジャム等の搬送不良が発生する場合があるという問題がある。
【００１２】
また、単券にカール癖が付いたまま顧客に発行されると、見栄え品質が低下すると共に、その後の自動改札におけるジャム等の搬送不良の要因になるという問題がある。
【００１３】
本発明は、上記の問題点を解決するためになされたもので、カール癖の発生を防止しながら、発券装置の小型化を図る手段を提供することを目的とする。
【課題を解決するための手段】
【００１４】
本発明は、上記課題を解決するために、軸方向に並列に配置されたロール紙を収納するロール紙収納部を備え、前記ロール紙を規定の長さに切断した単券に、所定の視認情報を印字して発行する発券装置において、一の前記ロール紙の前記ロール紙収納部からの繰出を終えたときに、前記並列に配置された他のロール紙を軸方向に移動させてロール紙を補充することを特徴とする。
【発明の効果】
【００１５】
これにより、本発明は、ロール紙から切断した単券にカール癖が発生することを防止しながら、自動的に補充したロール紙によって単券の発行を継続することができると共に、軸方向に配置したロール紙により発券装置の小型化を図ることができるという効果が得られる。
【図面の簡単な説明】
【００１６】
【図１】実施例１の発券装置の側面を示す説明図
【図２】実施例１の発券装置の正面を示す説明図
【図３】実施例１の発券装置を示すブロック図
【図４】実施例１の発券処理を示すフローチャート
【図５】実施例１のロール紙の補充動作を示す説明図
【図６】実施例２の発券装置の側面を示す説明図
【図７】実施例２の発券装置の正面を示す説明図
【図８】実施例２の発券装置を示すブロック図
【図９】実施例２の発券処理を示すフローチャート
【図１０】実施例２の分離繰出機構の退避動作を示す説明図
【図１１】実施例３の発券装置の側面を示す説明図
【図１２】実施例３の発券装置の正面を示す説明図
【図１３】実施例３の発券処理を示すフローチャート
【図１４】実施例４の発券装置の側面を示す説明図
【図１５】実施例４の発券装置の正面を示す説明図
【図１６】実施例４の発券装置を示すブロック図
【図１７】実施例４の発券処理を示すフローチャート
【図１８】実施例４のロール紙の補充動作を示す説明図
【発明を実施するための形態】
【００１７】
以下に、図面を参照して本発明による発券装置の実施例について説明する。
【実施例１】
【００１８】
図１、図２において、１は発券装置である。本実施例では、鉄道で用いられる券売機に搭載される発券装置であって、単券発行用紙としてのロール紙２の補充頻度を軽減するために、軸方向に並列に配置した複数（本実施例では２巻）のロール紙２が装填される。
【００１９】
ロール紙２ａ、２ｂは、裏面に磁気コーティングが施された長尺の紙帯を円筒状の巻芯３ａ、３ｂを中心として巻付けて形成され、乗車券、定期券、指定券等を発行する際にそれぞれの規定の長さに切断して用いられ、ロール紙２ｂは、現在用いているロール紙２ａ（現用のロール紙２ともいう。）がなくなったときの補充用として用いられる。
【００２０】
本実施例のロール紙２は、乗車券等用として標準的に用いられているものであって、具体的には外径φ３００ｍｍ、巻芯３の径φ１２０ｍｍ、幅５７．５ｍｍ、重さ約３ｋｇのロール紙である。なお、幅方向はロール紙２の軸方向と同一方向である。
【００２１】
４はロール紙収納部であり、軸方向に並列に配置されたロール紙２ａ、２ｂを囲う有底の枠体であって、その底面にロール紙２ａ、２ｂを直接載置して収納する収納部であって、後述するロール紙移動機構３０により、図２に示す原位置から、補充用のロール紙２ｂを現用のロール紙２ａの方向へ移動させる方向（図２に示す矢印参照）、つまりロール紙２の軸方向に移動可能に構成されている。
【００２２】
６はロール紙搬送路であり、ロール紙収納部４から、ロール紙２の先頭部分を規定の長さに切断するカッタ部７までの間を接続する搬送路であって、搬送ローラ８ａ、８ｂ等により構成され、駆動部９（図３参照）に設けられた駆動ベルト、ギア列、モータ等の駆動機構により正逆方向に駆動される。
【００２３】
１０は搬送監視センサであり、ロール紙搬送路６を挟んで発光部と受光部とを対向配置した光学式センサであって、発光部からの光を搬送中のロール紙２が遮ったことを受光部で検出して、正搬送方向（ロール紙収納部４からスタッカ１１の方向へロール紙２や単券を搬送する方向をいう。）に搬送されるロール紙２の先頭端および後尾端を検出する機能を有しており、ロール紙搬送路６の搬送ローラ８ｂの上流側に配置され、ロール紙搬送路６を搬送されるロール紙２の搬送状態を監視する。
【００２４】
１２は単券搬送路であり、ロール紙搬送路６の正搬送方向の最下流部に配置されたカッタ部７で規定の長さに切断された単券を搬送する搬送路であって、カッタ部７から、発行する単券（本実施例では、乗車券等）を集積する発券装置１の正面に設けられたスタッカ１１までの間を接続する搬送路であって、カッタ部７から正搬送方向に沿って、単券のおもて面に所定の視認情報（本実施例では、乗車区間等）を印字する印字部１４、単券の裏面に所定の磁気情報（本実施例では、乗車区間等）を書込む磁気情報書込部１５、磁気情報書込部１５で書込まれた磁気情報が正しく書込まれているかを確認する磁気情報読取部１６が順に配置されている。
【００２５】
１７は券挿入部であり、発券装置１や他の発券装置で発行された単券に追加処理を行う場合にその単券を挿入する部位である。
【００２６】
２０は分離繰出機構であり、ロール紙収納部４に装填されたロール紙２の外周面を支持すると共にロール紙２を繰出回転方向（図１において、反時計方向）およびその逆方向に回転させる支持ローラ２１ａ、２１ｂ、繰出回転方向に回転しているロール紙２の外周面上に摺接して外周面からロール紙２の先頭端を分離する分離爪２２、分離爪２２で分離された先頭端をロール紙搬送路６の搬送ローラ８ａに導く一対のガイド板２３等で構成されており、繰出位置（図２に示す、分離繰出機構２０の支持ローラ２１に支持されたロール紙２ａの位置をいう。）に停止したロール紙２を、支持ローラ２１で繰出回転方向に回転させ、その先頭端を分離爪２２で分離してロール紙搬送路６へ自動的に繰出す機能を有している。
【００２７】
本実施例の支持ローラ２１ａは、駆動部９に設けられたモータ等により正逆方向に回転駆動される駆動ローラであり、支持ローラ２１ｂはロール紙２の回転に伴って回転する従動ローラである。
【００２８】
３０はロール紙移動機構であり、ロール紙収納部４のロール紙２の軸方向に沿った両側に設けられた往復移動可能に構成されたスライドレール３１、駆動部９に設けられた移動モータ３２により正逆方向に回転駆動される駆動プーリ３３ａと従動プーリ３３ｂの間に掛渡された歯付ベルト等からなる移動ベルト３４、ロール紙収納部４を移動ベルト３４に固定する固定具３５等により構成され、現用のロール紙２ａの繰出が終了したときに、移動モータ３２により駆動プーリ３３ａを回転駆動して、移動ベルト３４、固定具３５を介してロール紙収納部４を原位置（図２に示す、ロール紙２ａを分離繰出機構２０の支持ローラ２１上に停止させた位置をいう。）から軸方向（図２に示す矢印方向）に移動させ、補充用のロール紙２ｂを繰出位置に停止させると共に、新たな２巻のロール紙２の装填時にロール紙収納部４を逆方向へ移動させて原位置へ戻す機能を有している。
【００２９】
３７はロール紙検出センサであり、ロール紙収納部４に装填された２巻のロール紙２を挟んで発光部と受光部とをロール紙２の軸方向に対向配置した光学式センサであって、発光部からの光をロール紙２が遮ったことを受光部で検出して、ロール紙収納部４に収納されたロール紙２の存否を検出する機能を有している。
【００３０】
３８は開閉扉であり、ロール紙２を装填するとき等に開閉する保守用の扉であって、開閉扉３８の開閉を検出する開閉検出センサ３８ａ（図３参照）が設けられている。
【００３１】
本実施例では、発券装置１の筐体の正面板、つまりスタッカ１１が設けられた正面板が開閉可能に構成された開閉扉３８として機能する。
【００３２】
上記した各部位は、ロール紙券発行アセンブリとして図示しないスライド機構上に設置された１つのアセンブリフレーム（図示省略）内に組込まれており、開閉扉３８を開放することによって、ロール紙券発行アセンブリの全体が正面側に引出せるように構成されている。
【００３３】
なお、上記したロール紙収納部４を除く部位は、アセンブリフレームに固定されているが、ロール紙移動機構３０のスライドレール３１は、アセンブリフレームとロール紙収納部４との間に配置されており、ロール紙収納部４はアセンブリフレームに対して相対移動可能に構成されている。
【００３４】
また、本実施例のロール紙搬送路６と単券搬送路１２とで構成される搬送経路は１本であり、この搬送経路にロール紙２を繰出す分離繰出機構２０、および搬送経路に設けられている搬送監視センサ１０、カッタ部７、印字部１４、磁気情報書込部１５、磁気情報読取部１６もそれぞれ１つである。
【００３５】
図３において、４１は発券装置１の制御部であり、信号線等の信号回線４２を介して上位装置４３（本実施例では、乗車券等の券売機）の図示しない主制御部に接続しており、上位装置４３との相互通信を制御すると共に、発券装置１内の各部を制御して、発券処理やロール紙補充処理等を実行する機能を有している。
【００３６】
４５は発券装置１の記憶部であり、制御部４１が実行するプログラムやそれに用いる各種のデータおよび制御部４１による処理結果等が格納される。
【００３７】
この記憶部４５には、上位装置４３から送信された発券指令に添付された単券種別（本実施例では、乗車券）を基に、ロール紙２を規定の長さに切断してその単券に所定の視認情報や磁気情報を書込んで利用者に発行する機能を有する発券処理プログラムや、現用のロール紙２ａのロール紙収納部４からの繰出が終了したときに、補充用のロール紙２ｂを繰出位置へ移動させ、そのロール紙２ｂの先頭端を自動で繰出して発券待機位置（後述）に待機させる機能を有するロール紙補充処理プログラム等からなる業務実行プログラムが予め格納されており、制御部４１が実行する業務実行プログラムのステップにより本実施例の発券装置１の各機能手段が形成される。
【００３８】
以下に、図４にＳで示すステップに従って、本実施例の発券処理およびロール紙補充処理について説明する。
【００３９】
Ｓ１：ロール紙収納部４にロール紙２が収納されていない場合、係員は発券装置１の開閉扉３８を開放し、ロール紙券発行アセンブリを発券装置１の筐体から引出して原位置に停止しているロール紙収納部４内の繰出位置に現用とするロール紙２ａを、その軸方向の背後に補充用とするロール紙２ｂを装填し、その状態でロール紙券発行アセンブリを、発券装置１の筐体内へ押込んで開閉扉３８を閉鎖する。発券装置１の制御部４１は、開閉扉３８に設けた開閉検出センサ３８ａが開閉扉３８の閉鎖を検出したときにステップＳ２へ移行する。
【００４０】
Ｓ２：制御部４１、繰出位置に停止しているロール紙２ａの先頭端の分離繰出動作を行う。
【００４１】
すなわち、制御部４１は、支持ローラ２１ａによってロール紙２ａを繰出回転方向に回転させ、その先頭端を分離爪２２で分離し、分離した先頭端をガイド板２３により、ガイド板２３の出口直後に配置されているロール紙搬送路６の搬送ローラ８ａへ導いて搬送ローラ８ａに挟持させる。これにより現用ロール紙２ａの先頭端が自動的にロール紙搬送路６へ繰出される。
【００４２】
Ｓ３：ロール紙２ａの先頭端を搬送ローラ８ａに挟持させた制御部４１は、繰出したロール紙２ａをロール紙搬送路６により搬送し、搬送監視センサ１０が先頭端を検出した後に所定の距離搬送して搬送ローラ８ｂに挟持させた状態で停止させる（この搬送ローラ８ｂが分離繰出後のロール紙２の先頭端を挟持して停止させた位置を、発券待機位置という。）。
【００４３】
Ｓ４：制御部４１は、ロール紙搬送路６の搬送監視センサ１０が現用ロール紙２（本段階ではロール紙２ａ）の後尾端を検出するのを待って待機しており、搬送監視センサ１０がロール紙２の後尾端を検出したときに、現用ロール紙２の繰出終了を判定し、ロール紙補充処理を実行するためにステップＳ１４へ移行する。搬送監視センサ１０がロール紙２の後尾端を検出しない場合、つまりロール紙搬送路６を搬送されるロール紙２を検出し続けている場合はステップＳ５へ移行する。
【００４４】
Ｓ５：制御部４１は、上位装置４３からの信号回線４２を介した発券指令の着信を待って待機しており、発券指令を受信したときに発券処理の実行を判定してステップＳ６へ移行する。発券指令を受信しない場合は、ステップＳ４へ戻ってステップＳ４、Ｓ５による待機を継続する。
【００４５】
Ｓ６：発券指令を受信した制御部４１は、ロール紙２（本段階ではロール紙２ａ）の先頭端が発券待機位置にある場合は、ロール紙搬送路６によってカッタ部７まで搬送した先頭端を、ロール紙２による発券処理の継続中である場合は、カッタ部７に位置している切断後の先頭端を、発券指令に添付された単券種別を基に、ロール紙搬送路６によって先頭端を発行すべき単券種別（本実施例では、乗車券）の規定の長さ分搬送し、その先頭部分をカッタ部７によって切断して発行に用いる単券を形成する。
【００４６】
Ｓ７：規定の長さの単券を形成した制御部４１は、その単券を単券搬送路１２により印字部１４へ搬送し、単券のおもて面に所定の視認情報（本実施例では、乗車区間等）を印字する。
【００４７】
Ｓ８：単券に視認情報を印字した制御部４１は、印字を終えた単券を単券搬送路１２により磁気情報書込部１５へ搬送し、単券の裏面の磁気コーティング部に所定の磁気情報（本実施例では、乗車区間等）を書込む。
【００４８】
Ｓ９：単券に磁気情報を書込んだ制御部４１は、その単券を単券搬送路１２により磁気情報読取部１６へ搬送し、磁気情報書込部１５で書込まれた磁気情報を読取り、読取った磁気情報が正しい場合はステップＳ１０へ移行する。読取った磁気情報に誤りが存在する場合はステップＳ１２へ移行する。
【００４９】
Ｓ１０：磁気情報が正しく書込まれていることを認識した制御部４１は、その単券を単券搬送路１２によりスタッカ１１へ搬送して排出集積し、利用者が選択した単券種別の単券を発行し、１枚の単券の発券処理を終了させてステップＳ１１へ移行する。
【００５０】
Ｓ１１：制御部４１は、発券装置１へ供給されている電力の状態を確認し、電源が遮断されている場合は全ての処理を終了させる。電力の供給が継続している場合は、ステップＳ４へ戻り、発券処理およびロール紙補充処理の実行を継続する。
【００５１】
Ｓ１２：上記ステップＳ９において、磁気情報に誤りが存在することを認識した制御部４１は、書込異常が発生した旨の異常発生通知を、信号回線４２を介して上位装置４３へ送信してステップＳ１３へ移行する。異常発生通知を受信した上位装置４３は、警報等により書込異常の発生を係員に報知する。
【００５２】
Ｓ１３：書込異常の発生を報知した制御部４１は、係員による復旧作業の終了を待って待機しており、開閉検出センサ３８ａが開閉扉３８の開放を検出し続けていることにより復旧作業中と認識した場合は前記の待機を継続する。開閉検出センサ３８ａが開閉扉３８の閉鎖を検出したことにより装置の復旧を認識した場合は、接続子Ａを介してステップＳ４へ戻り、発券処理およびロール紙補充処理の実行を継続する。
【００５３】
この場合に、ステップＳ５において、上位装置４３から発行しようとした単券の再発行のための発券指令を受信した場合は、上記ステップＳ６〜Ｓ１０による発券処理を実行し、利用者が選択した単券種別の単券を再発行する。
【００５４】
Ｓ１４：上記ステップＳ４において、搬送監視センサ１０がロール紙２の後尾端を検出したことにより現用ロール紙２の繰出終了を判定した制御部４１は、ロール紙補充処理を実行するために、ロール紙検出センサ３７からの出力を確認し、ロール紙検出センサ３７が補充用のロール紙２ｂの存在を検出している場合はステップＳ１７へ移行する。ロール紙検出センサ３７がロール紙２の存在を検出していない場合、つまりロール紙収納部４に装填された２巻のロール紙２の繰出が終了している場合はステップＳ１５へ移行する。
【００５５】
なお、本実施例の発券装置１では、ロール紙２の後尾端が搬送監視センサ１０を通過した後、予め設定された一定枚数の単券を発行した後に当該ロール紙２による単券の発行を停止するように設定されている。
【００５６】
Ｓ１５：装填された２巻のロール紙２の繰出が終了したことを認識した制御部４１は、ロール紙収納部４の用紙切れを認識し、用紙切れが発生した旨の用紙切れ発生通知を、信号回線４２を介して上位装置４３へ送信してステップＳ１６へ移行する。用紙切れ発生通知を受信した上位装置４３は、警報等によりロール紙収納部４における用紙切れの発生を係員に報知する。
【００５７】
用紙切れの報知を受けた係員は、開閉扉３８を開放し、ロール紙券発行アセンブリを引出して残置された巻芯３ａ、３ｂを除去し、上記ステップＳ１と同様にして、係員はロール紙２ａ、２ｂをロール紙収納部４に装填し、その状態でロール紙券発行アセンブリを、発券装置１の筐体内へ押込んで開閉扉３８を閉鎖する。
【００５８】
Ｓ１６：用紙切れの発生を報知した制御部４１は、係員による装填作業の終了を待って待機しており、開閉検出センサ３８ａが開閉扉３８の開放を検出し続けていることにより装填作業中と認識した場合は前記の待機を継続する。
【００５９】
開閉検出センサ３８ａが開閉扉３８の閉鎖を検出したことによりロール紙２の装填終了を認識した場合は、２巻のロール紙が装填されたロール紙収容部４をロール紙移動機構３０により原位置へ戻し、接続子Ｂを介してステップＳ２へ戻り、そのロール紙２ａの先頭端の分離繰出動作を行い、ステップＳ３以降の処理を継続する。
【００６０】
Ｓ１７：上記ステップＳ１４において、補充用のロール紙２ｂの存在を認識した制御部４１は、繰出を終えた現用ロール紙２ａの背後に装填されている補充用のロール紙２ｂを支持ローラ２１ａ、２１ｂ上の繰出位置へ移動させる。
【００６１】
すなわち、制御部４１は、駆動部９の移動モータ３２により駆動プーリ３３ａを回転駆動し、移動ベルト３４と従動プーリ３３ｂを回転させて、固定具３５により移動ベルト３４に固定されているロール紙収納部４を原位置から繰出位置の方向へ軸方向に移動させ、図５に示すように、ロール紙収納部４内に収納されたロール紙２ｂが支持ローラ２１上の繰出位置へ移動したときに移動モータ３２を停止させ、補充用のロール紙２ｂを繰出位置に停止させる。このとき、ロール紙収納部４に収納されていた繰出を終えたロール紙２ａの巻芯３ａは底面上にそのまま残置される。
【００６２】
そして、制御部４１は、繰出位置に停止させた補充用のロール紙２ｂを現用ロール紙２とするために、ロール紙収容部４を現在の位置に停止させたまま接続子Ｂを介してステップＳ２へ戻り、そのロール紙２の先頭端の分離繰出動作を行い、ステップＳ３以降の処理を継続する。
【００６３】
このように、本実施例の発券装置１においては、２巻のロール紙２を軸方向に配置して収納するロール紙収納部４を設けると共に、そのロール紙収納部４を軸方向に移動させるロール紙移動機構３０を設け、１巻目の現用のロール紙２ａのロール紙収納部４からの繰出終了後に、ロール紙収納部４をロール紙移動機構３０により軸方向に移動させて２巻目の補充用のロール紙２ｂを繰出位置へ移動させて停止させるようにしたので、ロール紙２から切断した単券にカール癖を残すことなく、１巻目のロール紙２の繰出が終了した後に、２巻目のロール紙２による単券の発行を自動的に継続することができ、ロール紙２の補充頻度を減少させて係員の負担を軽減することができると共に、ロール紙収納のためのスペースの増分を最小限に抑制して発券装置１の小型化を図ることができる。
【００６４】
また、本実施例のロール紙補充処理においては、２巻目の補充用のロール紙２ｂの後尾端が搬送監視センサ１０を通過した後の、繰出を終えた２巻目のロール紙２ｂによる一定枚数の単券の発券中に、補充用のロール紙２が存在しない場合は、係員に用紙切れの報知を行うので、２巻目のロール紙２ｂが完全になくなる前に、新たな２巻のロール紙２のロール紙収納部４への装填を２巻目のロール紙２ｂによる一定枚数の発券中に並行して行うことが可能になり、係員は利用者の混雑状況や業務の合間を見計らって使い終わった巻芯３の除去と新たな２巻のロール紙２の装填を行うことができ、係員の負担を軽減することができると共に、新たなロール紙２を装填するタイミングを柔軟にして発券装置１の稼動効率を向上させることができる。
【００６５】
以上説明したように、本実施例では、軸方向に並列に配置された２巻のロール紙を収納するロール紙収納部に、ロール紙の先頭端を分離して繰出す１つの分離繰出機構を設けると共に、分離繰出機構から繰出されたロール紙を搬送する１つのロール紙搬送路を設け、一のロール紙のロール紙収納部からの繰出を終えたときに、その背後に配置された他のロール紙を軸方向に移動させ、分離繰出機構上に停止させてロール紙を補充するようにしたことによって、ロール紙から切断した単券にカール癖が発生することを防止しながら、自動的に補充したロール紙によって単券の発行を継続することができると共に、軸方向に配置した２巻のロール紙により発券装置の小型化を図ることができる。
【実施例２】
【００６６】
以下に、図６ないし図１０を用いて本実施例の発券装置について説明する。なお、上記実施例１と同様の部分は、同一の符号を付してその説明を省略する。
【００６７】
本実施例の分離繰出機構２０は、図６に示すように、補充用のロール紙２ｂを軸方向に移動させるときに、分離繰出機構２０の支持ローラ２１をロール紙２ｂの外周面から退避させる退避機構５０に取付けられている。
【００６８】
これは、補充用のロール紙２ｂを繰出位置へ移動させるときに、ロール紙２ｂの軸芯とロール紙２ａの軸芯との芯ずれが許容範囲を超えていたこと等の理由で、ロール紙２ｂの外周面と支持ローラ２１とが衝突する場合があり、ロール紙２ｂと支持ローラ２１とが衝突すると、最外周のロール紙２ｂをめくりあげたり、傷をつけたりといった損傷が生ずる場合があり、このロール紙２ｂと支持ローラ２１との衝突を防止して、ロール紙２ｂの損傷を防止するとともに、ロール紙２ｂの移動不良に伴う発券装置１の稼動停止といった不具合を防止するためである。
【００６９】
本実施例の退避機構５０は、図６、図７に示すように、図示しないロール紙券発行アセンブリに取付けられた回動支点５１に回動可能に支持された駆動リンク５２、駆動リンク５２の一端と分離繰出機構２０を収容した収容カバー５３の底部との間を連結する連結リンク５４、駆動リンク５２の回動支点５１を挟んだ反対側の他端を図６において上下方向に駆動するアクチュエータとしての電磁弁５５等で構成され、電磁弁５５に通電し吸引動作をさせることによって、駆動リンク５２が回動支点５１を中心に回動し、連結リンク５４を介して分離繰出機構２０をロール紙２の外周面から離間する方向に移動させ、分離繰出機構２０の支持ローラ２１と分離爪２２を、軸方向に移動するロール紙２ｂの外周面に接触しない位置（退避位置という。）に退避させる機能を有している。
【００７０】
なお、退避機構５０により分離集積機構２０を退避させたときは、支持ローラ２１、分離爪２２、一対のガイド板２３が収容カバー５３とともに退避位置へ移動し、本実施例では、支持ローラ２１と分離爪２２をロール紙収納部４の底面から突出しない位置まで退避させている（図１０参照）。
【００７１】
本実施例の発券装置１の記憶部４５には、上記実施例１と同様の発券処理プログラムや、現用のロール紙２ａのロール紙収納部４からの繰出が終了したときに、分離繰出機構２０を退避させ、その後に補充用のロール紙２ｂを繰出位置に移動させ、そのロール紙２ｂの先頭端を自動で繰出して発券待機位置に待機させる機能を有するロール紙補充処理プログラム等からなる業務実行プログラムが予め格納されており、制御部４１が実行する業務実行プログラムのステップにより本実施例の発券装置１の各機能手段が形成される。
【００７２】
以下に、図９にＳＡで示すステップに従って、本実施例の発券処理およびロール紙補充処理について説明する。
【００７３】
ＳＡ１：ロール紙収納部４にロール紙２が収納されていない場合、係員は発券装置１の開閉扉３８を開放し、上記実施例１のステップＳ１と同様にして、原位置に停止しているロール紙収納部４内の繰出位置に現用とするロール紙２ａを、その軸方向の背後に補充用とするロール紙２ｂを装填し、その状態でロール紙券発行アセンブリを、発券装置１の筐体内へ押込んで開閉扉３８を閉鎖する。
【００７４】
この場合に、発券装置１の制御部４１は、開閉検出センサ３８ａからの開閉扉３８の開放、閉鎖の検出出力に関らず、退避機構５０の電磁弁５５を非通電状態として分離繰出機構２０を、支持ローラ２１によりロール紙２を支持する位置（ロール紙支持位置という。）で停止させたままとし、開閉検出センサ３８ａが開閉扉３８の閉鎖を検出したときに、退避機構５０の電磁弁５５を非通電状態とし分離繰出機構２０をロール紙支持位置に停止させたままの状態でステップＳＡ２へ移行する。
【００７５】
その後のステップＳＡ２〜ＳＡ１６の作動は、上記実施例１のステップＳ２〜Ｓ１６の作動と同様であるので、その説明を省略する。
【００７６】
ＳＡ１７：ステップＳＡ１４において、補充用のロール紙２ｂの存在を認識した制御部４１は、図１０に示すように、退避機構５０の電磁弁５５に通電して、そのプランジャを吸引し、駆動リンク５２を回動支点５１を中心に回動させ、連結リンク５４を介して分離繰出機構２０を退避位置に退避させてステップＳＡ１８へ移行する。これにより、補充用のロール紙２ｂを繰出位置へ移動させるときに、ロール紙２ｂの外周面と支持ローラ２１との衝突を防止することができる。
【００７７】
ＳＡ１８：分離繰出機構２０を退避させた制御部４１は、上記実施例１のステップＳ１７と同様にして、繰出を終えた現用ロール紙２ａの背後に装填されている補充用のロール紙２ｂを分離繰出機構２０がロール紙支持位置に位置していたならば、支持ローラ２１上となるロール紙２の繰出位置へ移動させる。
【００７８】
そして、制御部４１は、退避機構５０の電磁弁５５に非通電にして、そのプランジャを図示しないバネ部材により突出させ、駆動リンク５２を回動支点５１を中心に回動させ、分離繰出機構２０を退避位置からロール紙支持位置に移動させて繰出位置に停止させた補充用のロール紙２ｂの外周面を支持ローラ２１により支持させ、補充用のロール紙２ｂを現用ロール紙２とするために、ロール紙収容部４を現在の位置に停止させたまま接続子Ｄを介してステップＳＡ２へ戻り、そのロール紙２の先頭端の分離繰出動作を行い、ステップＳＡ３以降の処理を継続する。
【００７９】
以上説明したように、本実施例では、上記実施例１と同様の効果に加えて、現用のロール紙のロール紙収納部からの繰出終了時において、補充用のロール紙を軸方向に移動させるときに、分離繰出機構をロール紙の外周面から退避させるようにしたことによって、補充用のロール紙を支持ローラに衝突させずに円滑に移動させることができ、ロール紙の損傷を防止することができると共に、ロール紙の移動不良に伴う稼動停止を防止して、発券装置の稼動効率を向上させることができる。
【実施例３】
【００８０】
以下に、図１１ないし図１３を用いて本実施例の発券装置について説明する。なお、上記実施例１、実施例２と同様の部分は、同一の符号を付してその説明を省略する。
【００８１】
本実施例の分離繰出機構２０は、図１１、図１２に示すように、補充用のロール紙２ｂを軸方向に移動させるときに、上記実施例２と同様に分離繰出機構２０を退避位置へ退避させる退避機構５０に取付けられており、その支持ローラ２１ａ、２１ｂのロール紙２の移動方向（図１２に示す矢印の方向）の上流側に、支持ローラ２１に向かって拡大するテーパ面を有する直円錐からなるガイド部５８が設けられている。
【００８２】
このガイド部５８は、ロール紙２ｂが接触したときに抵抗なく円滑に滑るような材料、例えばポリアセタール樹脂で形成され、支持ローラ２１に固定されて支持ローラ２１とともに回転する。
【００８３】
なお、ガイド部５８の形状は、直円錐に限らず、上面の円の中心と下面の円の中心とを同軸上に配置した円錐台形状であってもよい。
【００８４】
本実施例の発券装置１の記憶部４５には、上記実施例２と同様の発券処理プログラムや、ロール紙補充処理プログラム等からなる業務実行プログラムが予め格納されており、制御部４１が実行する業務実行プログラムのステップにより本実施例の発券装置１の各機能手段が形成される。
【００８５】
以下に、図１３にＳＢで示すステップに従って、本実施例の発券処理およびロール紙補充処理について説明する。
【００８６】
本実施例のステップＳＢ１〜ＳＢ１８の作動は、上記実施例２のステップＳＡ１〜ＳＡ１８の作動と同様であるので、その説明を省略する。
【００８７】
この場合に、本実施例の支持ローラ２１には、ロール紙２の移動方向の上流側にテーパ面を有するガイド部５８が設けられているので、ステップＳＢ１７において、退避機構５０により分離繰出機構２０を退避位置に退避させるときの移動量は、上記実施例２より少なくて足り、ロール紙収納部４に収納された補充用のロール紙２ｂの、ロール紙収納部４の底面と平行な半径方向の隙間の最大値に相当する半径方向の移動があったとしても、軸方向に移動させるロール紙２ｂの外周面がガイド部５８のテーパ面に確実に接触する移動量であればよい。
【００８８】
また、補充用のロール紙２ｂが、半径方向の隙間の最大値に相当する半径方向の移動をしたとしても、軸方向に移動させるロール紙２ｂの外周面がガイド部５８のテーパ面に確実に接触するのであれば、退避機構５０を省略するようにしてもよい。
【００８９】
以上説明したように、本実施例では、上記実施例１と同様の効果に加えて、支持ローラのロール紙の移動方向の上流側に支持ローラに向かって拡大するテーパ面を有するガイド部を設けたことによって、補充用のロール紙が支持ローラに衝突する位置にあってもロール紙の外周面を円滑に支持ローラに導くことができ、ロール紙の損傷を防止することができると共に、ロール紙の移動不良に伴う稼動停止を防止して、発券装置の稼動効率を向上させることができる他、退避機構の移動量を最少にして発券装置の更なる小型化を図ることができると共に、処理時間の短縮化を図ることができる。
【実施例４】
【００９０】
以下に、図１４ないし図１８を用いて本実施例の発券装置について説明する。なお、上記実施例１と同様の部分は、同一の符号を付してその説明を省略する。
【００９１】
本実施例のロール紙収納部６０の底面は、図示しないアセンブリフレームに固定され、その底面には、図１４、図１５に示すように、ロール紙２ａの装填側、つまり分離繰出機構２０側の底面を低くした下段部６１ａと、補充用のロール紙２ｂの装填側の底面を下段部６１ａより高くした上段部６１ｂとからなるロール紙２の軸方向に設けられた段差が形成され、その下段部６１ａには、分離繰出機構２０からロール紙２の１巻の幅に相当する程度の長さをロール紙２の移動方向に延在させた延在部６２が形成されており、下段部６１ａの分離繰出機構２０上、つまり繰出位置にロール紙２ａを、上段部６１ｂにロール紙２ｂを直接載置して軸方向に２巻並べて収納すると共に、下段部６１ａの延在部６２は繰出を終えた現用ロール紙２ａの巻芯３ａの収容部として機能するよう構成されている。
【００９２】
６４はロール紙収納部６０のロール紙移動板であり、軸方向に並列に配置されたロール紙２ａ、２ｂを囲う無底の枠体であって、ロール紙移動機構３０の固定具３５により移動ベルト３４に固定されており、補充用のロール紙２ｂを、原位置（図１５に示す、ロール紙２ａを分離繰出機構２０の支持ローラ２１上に停止させた位置をいう。）から段差を越えて軸方向に移動させて繰出位置（図１５に示す、分離繰出機構２０の支持ローラ２１に支持されたロール紙２ａの位置をいう。）に停止させると共に、繰出を終えた現用ロール紙２ａの巻芯３ａをロール紙２の移動方向に移動させる機能を有している。
【００９３】
６６は巻芯検出センサであり、ロール紙収納部６０の底面の下段部６１ａの延在部６２に載置された繰出を終えた現用ロール紙２ａの巻芯３ａを挟んで発光部と受光部とを底面と平行な巻芯３ａの半径方向に対向配置した光学式センサであって、発光部からの光を巻芯３ａが遮ったことを受光部で検出して、延在部６２に載置された巻芯３ａの存否を検出する機能を有している。
【００９４】
なお、本実施例のロール紙移動板６４を構成するロール紙２の軸方向に沿った両側の側板には、巻芯検出センサ６６の光軸を通過させる長穴がそれぞれ形成されている。
【００９５】
図１６において、６７はロール紙補給依頼報知手段としての補給ランプであり、ＬＥＤ（Ｌｉｇｈｔ  Ｅｍｉｔｔｉｎｇ  Ｄｉｏｄｅ）等の発光源を備えており、繰出を終えた現用ロール紙２ａの巻芯３ａが延在部６２に載置されたとき、つまり補充用のロール紙２ｂがロール紙移動板６４に押されて繰出位置へ移動し、そのロール紙２ｂに押された巻芯３ａが延在部６２上に移動して停止したときに点灯して、係員等に不足した補充用のロール紙２の補給依頼を報知する機能を有している。
【００９６】
本実施例の発券装置１の記憶部４５には、上記実施例１と同様の発券処理プログラムやロール紙補充処理プログラム、および現用のロール紙２ａのロール紙収納部４からの繰出が終了し、補充用のロール紙２ｂを繰出位置に移動させたときに、不足した補充用のロール紙２の補給依頼を補給ランプ６７の点灯によって報知し、それに伴う補充用のロール紙２の補給を受付ける機能を有するロール紙補給処理プログラム等からなる業務実行プログラムが予め格納されており、制御部４１が実行する業務実行プログラムのステップにより本実施例の発券装置１の各機能手段が形成される。
【００９７】
以下に、図１７にＳＣで示すステップに従って、本実施例の発券処理、ロール紙補充処理、およびロール紙補給処理について説明する。
【００９８】
ＳＣ１：ロール紙収納部６０にロール紙２が収納されていない場合、係員は発券装置１の開閉扉３８を開放し、上記実施例１のステップＳ１と同様にして、原位置に停止しているロール紙収納部６０のロール紙移動板６４内の繰出位置に現用とするロール紙２ａを、その軸方向の背後の上段部６１ｂ上に補充用とするロール紙２ｂを装填し、その状態でロール紙券発行アセンブリを、発券装置１の筐体内へ押込んで開閉扉３８を閉鎖する。発券装置１の制御部４１は、開閉扉３８に設けた開閉検出センサ３８ａが開閉扉３８の閉鎖を検出したときにステップＳＣ２へ移行する。
【００９９】
その後のステップＳＣ２、ＳＣ３の作動は、上記実施例１のステップＳ２、Ｓ３の作動と同様であるので、その説明を省略する。
【０１００】
ＳＣ４：発券装置１の制御部４１は、ロール紙搬送路６の搬送監視センサ１０が現用ロール紙２の後尾端を検出するのを待って待機しており、搬送監視センサ１０がロール紙２の後尾端を検出したときに、現用ロール紙２の繰出終了を判定し、ロール紙補充処理を実行するために、接続子Ｈを介してステップＳＣ１８へ移行する。搬送監視センサ１０がロール紙２の後尾端を検出しない場合、つまりロール紙搬送路６を搬送されるロール紙２を検出し続けている場合は、ステップＳＣ５へ移行する。
【０１０１】
ＳＣ５：発券装置１の制御部４１は、開閉検出センサ３８ａが開閉扉３８の開放を検出するのを待って待機しており、開閉検出センサ３８ａが開閉扉３８の開放を検出したときに、ロール紙補給処理の実行を判定してステップＳＣ１５へ移行する。開閉検出センサ３８ａが開閉扉３８の閉鎖を検出し続けている場合はステップＳＣ６へ移行する。
【０１０２】
なお、この開閉扉３８の開放は、後述するステップＳＣ２２において点灯させた補給ランプ６７により、係員等が補充用のロール紙２の補給を認知し、係員が利用者の混雑状況や業務の合間を見計らって使い終わった巻芯３ａの除去と新たな補充用のロール紙２の装填を行うために行うものである。
【０１０３】
その後のステップＳＣ６〜ＳＣ１４の作動は、上記実施例１のステップＳ５〜Ｓ１３の作動と同様であるので、その説明を省略する。
【０１０４】
ＳＣ１５：上記ステップＳＣ５において、開閉扉３８の開放を認識したことによりロール紙補給処理の実行を判定した制御部４１は、係員によるロール紙収納部６０の延在部６２に残置された繰出を終えた現用ロール紙２ａの巻芯３ａの除去を、巻芯検出センサ６６が検出するのを待って待機しており、巻芯検出センサ６６が巻芯３ａの除去を検出したときに、ステップＳＣ１６へ移行する。巻芯検出センサ６６が巻芯３ａを検出し続けている場合は、前記の待機を継続する。
【０１０５】
ＳＣ１６：巻芯検出センサ６６により巻芯３ａの除去を認識した制御部４１は、ロール紙移動機構３０の移動モータ３２を回転駆動して、ロール紙移動板６４を原位置の方向に移動させ、ロール紙移動板６４を原位置に戻してステップＳＣ１７へ移行する。
【０１０６】
係員は、原位置に戻ったロール紙移動板６４の、空間となっている上段部６１ｂ上に新たな補充用のロール紙２を装填し、その状態でロール紙券発行アセンブリを、発券装置１の筐体内へ押込んで開閉扉３８を閉鎖する。
【０１０７】
このように、本実施例のロール紙収納部６０は、繰出を終えた現用ロール紙２ａの巻芯３ａを取出す位置、および新たに補給する補充用のロール紙２を装填する位置が、常に一定となり、係員の補給作業における操作性を向上させることができる。
【０１０８】
また、本実施例のロール紙移動機構３０には、図示しないトルクリミッタが設けられており、ロール紙移動板６４の移動時に、係員が手や指を挟んでも一定以上の力が加わらないため係員が負傷することはなく、補給作業の係員の安全に対する十分な配慮がなされている。
【０１０９】
ＳＣ１７：ロール紙移動板６４を原位置に戻した制御部４１は、新たな補充用のロール紙２の補給を終えた係員が、開閉扉３８を閉鎖するのを待って待機しており、開閉検出センサ３８ａが開閉扉３８の開放を検出し続けている場合は前記の待機を継続する。開閉検出センサ３８ａが開閉扉３８の閉鎖を検出したときは、接続子Ｇを介してステップＳＣ４へ戻り、発券処理、ロール紙補充処理およびロール紙補給処理の実行を継続する。
【０１１０】
ＳＣ１８：上記ステップＳＣ４において、現用ロール紙２の繰出終了を判定し、接続子Ｈを介して移行した制御部４１は、ロール紙補充処理を実行するために、ロール紙検出センサ３７からの出力を確認し、ロール紙検出センサ３７が補充用のロール紙２ｂの存在を検出している場合はステップＳＣ２１へ移行する。ロール紙検出センサ３７がロール紙２の存在を検出していない場合、つまりロール紙収納部４に装填された２巻のロール紙２の繰出が終了している場合はステップＳＣ１９へ移行する。
【０１１１】
その後のステップＳＣ１９、ＳＣ２０の作動は、上記実施例１のステップＳ１５、Ｓ１６の作動と同様であるので、その説明を省略する。
【０１１２】
ＳＣ２１：上記ステップＳＣ１８において、補充用のロール紙２ｂの存在を認識した制御部４１は、繰出を終えた現用ロール紙２ａの背後の上断面２１ｂに装填されている補充用のロール紙２ｂを下断面２１ａの支持ローラ２１ａ、２１ｂ上の繰出位置へ段差を越えて移動させる。
【０１１３】
すなわち、制御部４１は、駆動部９の移動モータ３２により駆動プーリ３３ａを回転駆動し、移動ベルト３４と従動プーリ３３ｂを回転させて、固定具３５により移動ベルト３４に固定されているロール紙移動板６４を原位置から繰出位置の方向へ軸方向に移動させ、図１８に示すように、ロール紙移動板６４内に収納されたロール紙２ｂが支持ローラ２１上の繰出位置へ移動したときに移動モータ３２を停止させ、補充用のロール紙２ｂを繰出位置に停止させる。このとき、繰出を終えたロール紙２ａの巻芯３ａは補充用のロール紙２ｂに押されて延在部６２上へ移動し、巻芯３ａが延在部６２上に移動したときに、巻芯検出センサ６６によって延在部６２上の巻芯３ａが検出される。なお、延在部６２上の巻芯３ａはそのまま残置される。
【０１１４】
ＳＣ２２：巻芯検出センサ６６によって延在部６２上の巻芯３ａの存在を認識した制御部４１は、新たな補充用のロール紙２の補給依頼を報知するために、補給ランプ６７を点灯させ、繰出位置に停止させた補充用のロール紙２ｂを現用ロール紙２とするために、ロール紙移動板６４を現在の位置に停止させたまま接続子Ｋを介してステップＳＣ２へ戻り、そのロール紙２の先頭端の分離繰出動作を行い、ステップＳＣ３以降の処理を継続する。
【０１１５】
このように、本実施例の発券装置１においては、ロール紙収納部６０の底面に、上段部６１ｂ、下段部６１ａからなる段差を設けてアセンブリフレームに固定し、その上段部６１ｂに載置されたロール紙２ｂと下段部６１ａに載置されたロール紙２ａを軸方向に配置して収納すると共にロール紙２ｂを軸方向に移動させるロール紙移動板６４を設け、１巻目の現用のロール紙２ａのロール紙収納部６０からの繰出終了後に、ロール紙移動板６４をロール紙移動機構３０により移動させて２巻目の補充用のロール紙２ｂを底面の段差を越えて繰出位置へ移動させて停止させるようにしたので、ロール紙収納部６０の底面に設けた段差により、補充用のロール紙２ｂを支持ローラに衝突させずに円滑に移動させることができ、ロール紙２ｂの損傷を防止することができると共に、ロール紙２から切断した単券にカール癖を残すことなく、１巻目のロール紙２の繰出が終了した後に、２巻目のロール紙２による単券の発行を自動的に継続することができる他、ロール紙の移動不良に伴う稼動停止を防止して、発券装置１の稼動効率を向上させることができると共に、ロール紙収納のためのスペースの増分を最小限に抑制して発券装置の小型化を図ることができる。
【０１１６】
また、本実施例のロール紙補給処理においては、１巻目のロール紙２の繰出を終えた後に、補給ランプ６７を点灯させて新たな補充用のロール紙２の補給を報知し、２巻目のロール紙２による単券の発券中に、新たな補充用のロール紙２の補給を受付けるので、係員は２巻目のロール紙２が完全になくなる前に、新たな補充用のロール紙２の補給を２巻目のロール紙２による発券中に並行して行うことが可能になり、係員は利用者の混雑状況や業務の合間を見計らって使い終わった巻芯３の除去と新たなロール紙２の装填を行うことができ、係員の負担を軽減することができると共に、新たなロール紙２を装填するタイミングをより柔軟にして発券装置１の稼動効率を更に向上させることができる。
【０１１７】
以上説明したように、本実施例では、上記実施例１と同様の効果に加えて、ロール紙収納部の底面に、補充用のロール紙の装填側の底面からなる上段部と分離繰出機構側の底面を上段部より低くした下段部とからなる段差を設けると共に、ロール紙収納部に上段部上に装填された補充用のロール紙を底面の段差を越えて軸方向に移動させるロール紙移動板を設けたことによって、ロール紙収納部の底面に設けた段差により、補充用のロール紙を支持ローラに衝突させずに円滑に移動させることができ、ロール紙の損傷を防止することができると共に、ロール紙から切断した単券にカール癖を残すことなく、１巻目のロール紙２の繰出が終了した後に、２巻目のロール紙２による単券の発行を自動的に継続することができる他、ロール紙収納のためのスペースの増分を最小限に抑制して発券装置の小型化を図ることができる。
【０１１８】
なお、上記各実施例においては、２巻のロール紙はロール紙収納部の底面に直接載置して装填するとして説明したが、ロール紙収納部に円筒状の巻芯を挿通する軸を設けその軸に２巻のロール紙のそれぞれの巻芯を挿通させて装填するようにしてもよい。
【０１１９】
また、上記各実施例においては、分離繰出後のロール紙の先頭端の発券待機位置は、搬送監視センサの正搬送方向の下流側に設けられた搬送ローラがロール紙の先頭端を挟持して停止させた位置として説明したが、ロール紙の先頭端が搬送監視センサを通過した直後にロール紙搬送路による搬送を停止させ、その搬送監視センサの直後の位置を発券待機位置としてもよい。
【０１２０】
更に、上記各実施例においては、上位装置は鉄道で用いられる乗車券等の券売機であるとして説明したが、上位装置は前記に限らず、航空券の券売機や飲食業で用いられる食券の券売機等であってもよい。
【符号の説明】
【０１２１】
１    発券装置
２、２ａ、２ｂ  ロール紙
３、３ａ、３ｂ  巻芯
４、６０  ロール紙収納部
６    ロール紙搬送路
７    カッタ部
８ａ、８ｂ  搬送ローラ
９    駆動部
１０  搬送監視センサ
１１  スタッカ
１２  単券搬送路
１４  印字部
１５  磁気情報書込部
１６  磁気情報読取部
１７  券挿入部
２０  分離繰出機構
２１、２１ａ、２１ｂ  支持ローラ
２２  分離爪
２３  ガイド板
３０  ロール紙移動機構
３１  スライドレール
３２  移動モータ
３３ａ  駆動プーリ
３３ｂ  従動プーリ
３４  移動ベルト
３５  固定具
３７  ロール紙検出センサ
３８  開閉扉
３８  開閉検出センサ
４１  制御部
４２  信号回線
４３  上位装置
４５  記憶部
５０  退避機構
５１  回動支点
５２  駆動リンク
５３  収容カバー
５４  連結リンク
５５  電磁弁
５８  ガイド部
６１ａ  下段部
６１ｂ  上段部
６２  延在部
６４  ロール紙移動板
６６  巻芯検出センサ
６７  補給ランプ
【図１】
2011221715.tif 000003
【図２】
2011221715.tif 000004
【図３】
2011221715.tif 000005
【図４】
2011221715.tif 000006
【図５】
2011221715.tif 000007
【図６】
2011221715.tif 000008
【図７】
2011221715.tif 000009
【図８】
2011221715.tif 000010
【図９】
2011221715.tif 000011
【図１０】
2011221715.tif 000012
【図１１】
2011221715.tif 000013
【図１２】
2011221715.tif 000014
【図１３】
2011221715.tif 000015
【図１４】
2011221715.tif 000016
【図１５】
2011221715.tif 000017
【図１６】
2011221715.tif 000018
【図１７】
2011221715.tif 000019
【図１８】
2011221715.tif 000020